【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
複数の測定光を照射した被検査物からの複数の戻り光と該複数の測定光にそれぞれ対応する複数の参照光とをそれぞれ合波した複数の光に基づく該被検査物の光干渉断層画像を取得する撮像装置であって、
前記複数の測定光を前記被検査物に照射する方向に対して交差する方向の該被検査物の１つの交差画像を取得する交差画像取得手段と、
前記取得された１つの交差画像を表示手段に表示させる交差画像表示制御手段と、
前記複数の測定光の走査範囲それぞれを前記表示された１つの交差画像に対応付けて前記表示手段に表示させる走査範囲表示制御手段と、
を有することを特徴とする撮像装置。
【請求項２】
前記光干渉断層画像それぞれを前記表示手段に表示させる断層画像表示制御手段と、
前記光干渉断層画像それぞれの位置を前記取得された１つの交差画像に対応付けて前記表示手段に表示させる位置表示制御手段と、
を有することを特徴とする請求項１に記載の撮像装置。
【請求項３】
前記走査範囲表示制御手段が、前記走査範囲をそれぞれ異なる色あるいは形状で前記表示された１つの交差画像に重ねて前記表示手段に表示させることを特徴とする請求項１あるいは２に記載の撮像装置。
【請求項４】
前記被検査物が被検眼の眼底であり、
前記取得された１つの交差画像が、前記眼底の表面の２次元画像、少なくとも１部の前記光干渉断層画像を前記眼底の深さ方向に積算した積算画像、前記眼底の深さ方向に対して略垂直方向の前記光干渉断層画像のうち少なくとも１つであることを特徴とする請求項１乃至３のいずれか１項に記載の撮像装置。
【請求項５】
撮像条件の異なる複数の撮像モードのうち少なくとも１つを選択する選択手段と、
前記選択手段により選択された撮像モードに応じて前記光干渉断層画像を取得する取得手段と、
を有することを特徴とする請求項１乃至４のいずれか１項に記載の撮像装置。
【請求項６】
前記複数の撮像モードの一覧と前記選択手段の機能を有する画像とを前記表示手段に表示させる撮像条件表示制御手段を有することを特徴とする請求項５に記載の撮像装置。
【請求項７】
前記複数の撮像モードのうち少なくとも１つの撮像モードは、前記被検査物に照射する測定光の数を、他の撮像モードに対して異なる数になるように設定されていることを特徴とする請求項５あるいは６に記載の撮像装置。
【請求項８】
前記複数の撮像モードのうち少なくとも１つの撮像モードは、前記走査範囲の大きさ、撮像回数、撮像時間のうち少なくとも１つの値を、他の撮像モードに対して異なる値になるように設定されていることを特徴とする請求項５乃至７のいずれか１項に記載の撮像装置。
【請求項９】
請求項１乃至８のいずれか１項に記載の撮像装置を用いて前記被検査物の光干渉断層画像を撮る撮像方法であって、
前記表示手段に表示させる信号を入力する入力工程と、
前記入力工程で入力された信号に基づく情報を前記表示手段に表示する表示工程と、
を含むことを特徴とする撮像方法。
【請求項１０】
複数の測定光を照射した被検査物からの複数の戻り光と該複数の測定光にそれぞれ対応する複数の参照光とをそれぞれ合波した複数の光に基づく該被検査物の光干渉断層画像を取得する撮像方法であって、
前記複数の測定光を前記被検査物に照射する方向に対して交差する方向の該被検査物の１つの交差画像を表示手段に表示する工程と、
前記複数の測定光の走査範囲それぞれを前記表示された１つの交差画像に対応付けて前記表示手段に表示する工程と、
を含むことを特徴とする撮像方法。
【請求項１１】
複数の測定光を照射した被検査物からの複数の戻り光と該複数の測定光にそれぞれ対応する複数の参照光とをそれぞれ合波した複数の光に基づく該被検査物の光干渉断層画像を取得する撮像方法であって、
撮像条件の異なる複数の撮像モードのうち少なくとも１つを選択する工程と、
前記選択された撮像モードに応じて前記光干渉断層画像を取得する工程と、
を含むことを特徴とする撮像方法。
【請求項１２】
請求項９乃至１１のいずれか１項に記載の撮像方法の各工程をコンピュータに実行させることを特徴とするプログラム。
【請求項１３】
複数の測定光を照射した被検査物からの複数の戻り光と該複数の測定光にそれぞれ対応する複数の参照光とをそれぞれ合波した複数の光に基づく該被検査物の光干渉断層画像を取得する撮像装置であって、
撮像条件の異なる複数の撮像モードのうち少なくとも１つを選択する選択手段と、
前記選択手段により選択された撮像モードに応じて前記光干渉断層画像を取得する取得手段と、
を有することを特徴とする撮像装置。
【請求項１４】
前記複数の撮像モードの一覧と前記選択手段の機能を有する画像とを表示手段に表示させる撮像条件表示制御手段を有することを特徴とする請求項１３に記載の撮像装置。
【請求項１５】
前記複数の撮像モードのうち少なくとも１つの撮像モードは、前記被検査物に照射する測定光の数を、他の撮像モードに対して異なる数になるように設定されていることを特徴とする請求項１３あるいは１４に記載の撮像装置。
【請求項１６】
測定光を照射した被検査物からの戻り光と該測定光に対応する参照光とを合波した合波光に基づく該被検査物の光干渉断層画像を取得する撮像装置であって、
前記被検査物の表面の１つの画像を取得する取得手段と、
前記測定光が異なる時間に照射された前記被検査物の表面における互いに交差する複数の範囲それぞれを前記１つの画像に対応付けて前記表示手段に表示させる表示制御手段と、
前記測定光の光路長と前記参照光の光路長との光路長差を変更する光路長差変更手段と、
を有することを特徴とする撮像装置。
【請求項１７】
前記測定光を前記互いに交差する複数の範囲に対して異なる時間に照射する場合に、前記光路長差変更手段を制御する制御手段を有することを特徴とする請求項１６に記載の撮像装置。
【手続補正２】
【補正対象書類名】明細書
【補正対象項目名】０００７
【補正方法】変更
【補正の内容】
【０００７】
本発明に係る撮像装置は、
複数の測定光を照射した被検査物からの複数の戻り光と該複数の測定光にそれぞれ対応する複数の参照光とをそれぞれ合波した複数の光に基づく該被検査物の光干渉断層画像を取得する撮像装置であって、
前記複数の測定光を前記被検査物に照射する方向に対して交差する方向の該被検査物の１つの交差画像を取得する交差画像取得手段と、
前記取得された１つの交差画像を表示手段に表示させる交差画像表示制御手段と、
前記複数の測定光の走査範囲それぞれを前記表示された１つの交差画像に対応付けて前記表示手段に表示させる走査範囲表示制御手段と、を有する。
【手続補正３】
【補正対象書類名】明細書
【補正対象項目名】０００８
【補正方法】変更
【補正の内容】
【０００８】
また、別の本発明に係る撮像装置は、
複数の測定光を照射した被検査物からの複数の戻り光と該複数の測定光にそれぞれ対応する複数の参照光とをそれぞれ合波した複数の光に基づく該被検査物の光干渉断層画像を取得する撮像装置であって、
撮像条件の異なる複数の撮像モードのうち少なくとも１つを選択する選択手段と、
前記選択手段により選択された撮像モードに応じて前記光干渉断層画像を取得する取得手段と、を有する。
【手続補正４】
【補正対象書類名】明細書
【補正対象項目名】０００９
【補正方法】変更
【補正の内容】
【０００９】
また、本発明に係る撮像方法は、
複数の測定光を照射した被検査物からの複数の戻り光と該複数の測定光にそれぞれ対応する複数の参照光とをそれぞれ合波した複数の光に基づく該被検査物の光干渉断層画像を取得する撮像方法であって、
前記複数の測定光を前記被検査物に照射する方向に対して交差する方向の該被検査物の１つの交差画像を表示手段に表示する工程と、
前記複数の測定光の走査範囲それぞれを前記表示された１つの交差画像に対応付けて前記表示手段に表示する工程と、を含む。
【手続補正５】
【補正対象書類名】明細書
【補正対象項目名】００１０
【補正方法】変更
【補正の内容】
【００１０】
また、別の本発明に係る撮像方法は、
複数の測定光を照射した被検査物からの複数の戻り光と該複数の測定光にそれぞれ対応する複数の参照光とをそれぞれ合波した複数の光に基づく該被検査物の光干渉断層画像を取得する撮像方法であって、
撮像条件の異なる複数の撮像モードのうち少なくとも１つを選択する工程と、
前記選択された撮像モードに応じて前記光干渉断層画像を取得する工程と、を含む。